(57)【要約】【課題】機器取付けスタンドを用いて設置することが可能で、しかも車両外など振動を受けない安定した箇所にも見やすい角度で簡単に設置することが可能なポータブル型電子機器を提供すること。【解決手段】表示画面３を有する偏平状の筐体２からなるポータブル型電子機器１において、筐体２には、一端が該筐体２の背面中央部に回動自在に連結されて該筐体２を載置面に載置する際に支持する回動アーム４が設けられており、また、回動アーム４の中央部には、機器取付けスタンド１０に取付け可能な連結溝６が形成されている。【選択図】図２
2009073438.tif 000002
【特許請求の範囲】
【請求項１】
表示画面を有する偏平状の筐体からなるポータブル型電子機器において、
前記筐体には、一端が該筐体の背面中央部に回動自在に連結されて該筐体を載置面に載置する際に支持する回動アームが設けられており、また、前記回動アームの中央部には、機器取付けスタンドに取付け可能な連結部が形成されていることを特徴とするポータブル型電子機器。
【請求項２】
前記回動アームと前記筐体の間には、該回動アームが前記筐体に対して回動されていない状態において、回動不能な状態に固定するロック機構が備えられていることを特徴とする請求項１に記載のポータブル型電子機器。
【請求項３】
前記回動アームは、他端部に弾性材からなる当接部が設けられていることを特徴とする請求項１に記載のポータブル型電子機器。
【請求項４】
前記当接部は、前記他端部に設けられ前記載置面に水平に延在する円柱と、該円柱に装着された弾性材からなるリングと、からなることを特徴とする請求項３に記載のポータブル型電子機器。
【発明の詳細な説明】
【技術分野】
【０００１】
本発明は表示画面を有する偏平状の筐体からなるポータブル型電子機器に係り、特にこのポータブル型電子機器を機器支持スタンドを用いて使用する際にも、ポータブル型電子機器単独で使用する際にも、常に表示画面が見やすい状態で設置できるポータブル型電子機器に関する。
【背景技術】
【０００２】
近年、テレビジョンやカーナビゲーション等の電子機器は、小型、軽量化されているとともにポータブル型のものが普及している。これらの電子機器は特に自動車の車内に設置してテレビ画面の観賞や種々の情報収集等のために用いられている。
【０００３】
車内でこのような電子機器を使用すると、車内には既に種々の機器が搭載されているためその取付けスペースが制限される。しかも運転席の近くに取付ける場合は、運転者の運転の妨げになることなく、しかも同乗者にも見やすいように設置する必要がある。そこで、これらの状況から取付けが簡単にできて、しかも電子機器の表示画面を左右及び上下方向へ角度が調節できるようにした種々のタイプの車両用支持具が開発・製品化されている。
【０００４】
このような車両用支持具としては、例えば、下記特許文献１に開示された機器取付けスタンドがある。この機器取付けスタンドは、上面に所定の大きさの台座が固定された車内のダッシュボード等の平坦面に載置固定されるベースプレートと、一端が小型機器に装着される固定部材が着脱自在に取付けられる取付け部を構成し他端が第１、第２カバー部材に挟持されて前後方向へ起伏可動できる連結部を構成している連結部材と、この連結部材をベースプレートに固定された台座に回転自在に結合する一対の第１、第２カバー部材と、を備え、連結部材と台座とは回転止め部材で結合されている。また、取付け部は水平方向と垂直方向に回動されるが、その調整は調節ツマミによって行われる。
【０００５】
ベースプレートは、小型機器が取付けられても転倒しない程度の比較的広い底面積を有する半楕円形状の板体からなり、この半楕円形状の板体の上面の中心部近傍に台座が載置固定される円形突起部が形成されている。このベースプレートは複数枚のプレート片に分離され、これらのプレート片の外周囲付近には、ベースプレートをビス止め固定するための取付け孔が形成されている。また、ベースプレートは、その底面が車両内の支持面に両面接着剤を介して貼着されるようになっている。このような機器取付けスタンドは、設置する面に固定して取り付ける方法をとるため、ダッシュボード等の衝撃を受ける箇所に機器を確実に設置することができる。
【特許文献１】特開２００７−１１８７８３号公報（図１、図２、段落［００２２］〜［００２３］、［００２８］）
【発明の開示】
【発明が解決しようとする課題】
【０００６】
しかしながら、従来の小型機器は、上記特許文献１に開示されたような機器取付けスタンドを用いることで自動車などの車内に設置することはできる。しかし、この機器取付けスタンドは車両に取り付けられるものであるため、衝撃対策を講じているため比較的効果であり、さらに使用時には車両内に両面接着剤を用いて固定されるものである。従って、ユーザが小型機器をこのような機器取付けスタンドがない車両外で使用したい場合には、ユーザが手で持って使用するしかなく、テーブル、棚等に簡単に載置して使用することはできない。
【０００７】
本発明は、上記問題点に鑑みなされたものであって、本発明の目的は、機器取付けスタンドを用いて設置することが可能で、しかも車両外など振動を受けない安定した箇所にも見やすい角度で簡単に設置することが可能なポータブル型電子機器を提供することにある。
【課題を解決するための手段】
【０００８】
前記課題を解決するために、本願の請求項１に係る発明は、表示画面を有する偏平状の筐体からなるポータブル型電子機器において、
前記筐体には、一端が該筐体の背面中央部に回動自在に連結されて該筐体を載置面に載置する際に支持する回動アームが設けられており、また、前記回動アームの中央部には、機器取付けスタンドに取付け可能な連結部が形成されていることを特徴とする。
【０００９】
また、本願の請求項２に記載の発明は、請求項１に記載のポータブル型電子機器において、前記回動アームと前記筐体の間には、該回動アームが前記筐体に対して回動されていない状態において、回動不能な状態に固定するロック機構が備えられていることを特徴とする。
【００１０】
また、本願の請求項３に記載の発明は、請求項１に記載のポータブル型電子機器において、前記回動アームは、他端部に弾性材からなる当接部が設けられていることを特徴とする。
【００１１】
また、本願の請求項４に記載の発明は、請求項３に記載のポータブル型電子機器において、前記当接部は、前記他端部に設けられ前記載置面に水平に延在する円柱と、該円柱に装着された弾性材からなるリングと、からなることを特徴とする。
【発明の効果】
【００１２】
本発明は、上記構成を備えることにより以下に示すような優れた効果を奏するものである。すなわち、本願の請求項１に係る発明によれば、回動アームによって、テーブル等の載置面上に表示画面が見やすい角度に筐体を傾けて設置させることと、この回動アームに機器取付けスタンドを取付けることで車両内等に筐体を設置させることを適宜選択できるので、別途、機器取付けスタンドを筐体に取付ける取付け構造を必要としない。そのため、本発明のポータブル型電子機器は簡単な構成で車両内でも車両外でも良好な使用が可能となる。
【００１３】
また、本願の請求項２に係る発明のポータブル型電子機器によれば、回動アームに機器取付けスタンドを連結する場合に、回動アームをロック機構によって筐体に対してガタが生じないようにロックした上で機器取付けスタンドを取付ければ車両内でもポータブル型電子機器を安定した状態で設置することができる。
【００１４】
また、本願の請求項３に係る発明のポータブル型電子機器によれば、筐体を機器取付けスタンドを用いて設置する場合、設置個所が予め決められていないので、回動アームの端が振動する面に当接することがあるが、この振動は弾性材によって吸収されるので筐体に伝わり難い。そのため、振動により雑音が発生したり、この振動によって故障してしまったりすることがない。さらに、このポータブル型電子機器を車両外等で単独に使用する場合には、この弾性材がアームの滑り止めを行うので、安定した設置を行うことができる。
【００１５】
また、本願の請求項４に係る発明のポータブル型電子機器によれば、当接部は円柱と弾性材のリングとによって形成されているので構造が簡単でその組立ても容易である。
【発明を実施するための最良の形態】
【００１６】
以下、本発明の具体例を実施例及び図面を用いて詳細に説明する。ただし、以下に示す実施形態は、本発明の技術思想を具体化するための一実施の形態を例示するものであって、本発明をこの実施の形態に特定することを意図するものでなく、特許請求の範囲に含まれるその他の実施形態のものにも等しく適用し得るものである。
【実施例１】
【００１７】
図１は本発明の一実施例に係るポータブル型電子機器の正面から見た斜視図、図２は本発明の一実施例に係るポータブル型電子機器の背面から見た斜視図、図３は図２においてポータブル型電子機器の連結部に固定部材を取付けた状態を示す斜視図、図４は図２においてポータブル型電子機器底面のロック機構の操作ボタンを示すためにポータブル型電子機器を傾けた状態の斜視図、図５は図２のＡ−Ａ線で切断した断面図、図６は本発明の一実施例に係るポータブル型電子機器に適用される機器取付けスタンドの一例を示す斜視図、図７は本発明の一実施例に係るポータブル型電子機器を回動アームを用いて載置面に設置した状態を示す側方から見た斜視図、図８は本発明の一実施例に係るポータブル型電子機器に図６で示す機器取付けスタンドを連結した状態を示す斜視図である。
【００１８】
本実施例に係るポータブル型電子機器１は、図１及び図２で示すように、偏平で矩形状の筐体２と、筐体２の前面に設けられた表示画面３と、筐体２の背面中央部に設けられた回動アーム４とからなる。
【００１９】
回動アーム４はその一端が筐体２の背面中央部に設けた支軸５により筐体２に回動自在に軸支されている。回動アーム４は筐体２の背面に接した状態、すなわち、回動されていない状態から予め設定された所定の角度まで回動可能であって、この回動アーム４は回動位置が自由に設定できるようになっている。なお、この回動時に支軸５部分に生じる回転トルクは、筐体２を回動アーム４を用いて設置したときに筐体２の自重により回動アーム４が回動しない程度に設定されている。
【００２０】
回動アーム４の中央部には、その長手方向に沿って連結部を構成する連結溝６が形成されている。この連結溝６には、図３で示すように、矩形状の固定部材７が取付けられるようになっている。連結溝６に固定部材７を取り付ける際には、固定部材７に設けられた取付けシャフト（図示せず）を回動アーム４の他端部側に位置する連結溝６の開放端部から挿入し、この取付けシャフトをネジ７２によって締結することで取付け位置が固定されるようになっている。従って、固定部材７は連結溝６の上端から下端に亘り所望の位置に固定することができるようになっている。
【００２１】
回動アーム４と筐体２との間には、図４及び図５で示すように、回動アーム４が筐体２に対して回動されていない状態において回動不能な状態に固定するためのロック機構８が備えられている。このロック機構８は、筐体２に設けられた係合爪８１と、係合爪８１が係合する回動アーム４に設けられた係止部８２と、係合爪８１に連結されてこの係合爪８１を操作する操作ボタン８３とから構成されている。そして、操作ボタン８３を押圧することにより、係合爪８１が係止部８２に係合した状態を解除するようになっている。
【００２２】
また、回動アーム４には、他端部、すなわち自由端に当接部９が設けられている。この当接部９は、回動アーム４の短手方向、すなわち載置面に平行な方向に中心軸が延在し、回動アーム４の両側に所定長さ突出して設けられた円柱９１と、この円柱９１に装着されたゴム製の弾性材からなるリング９２とから構成されている。また、リング９２の表面は摩擦力を有するように加工されている。
【００２３】
さらに、回動アーム４の連結溝６に固定される固定部材７は、機器取付けスタンド１０に取付けられるものであるが、この機器取付けスタンド１０は従前のものと同一構成である。すなわち、機器取付けスタンド１０は、図６で示すように、車内のダッシュボード等の面に載置固定されるベースプレート１０１と、固定部材７が着脱自在に取付けられる取付け部１０２と、ベースプレート１０１上に固定され、端部に取付け部１０２が取付けられたスタンド本体１０３とからなり、このスタンド本体１０３は水平方向及び垂直方向の面内で回動されるようになっている。また、スタンド本体１０３には、回動位置を調整するための調整ツマミ１０４が設けられている。
【００２４】
次に、上述した一実施例におけるポータブル型電子機器１の使用法について説明する。
【００２５】
ポータブル型電子機器１を室内のテーブルのように振動の発生しない安定した面上に設置する場合は、筐体２を回動アーム４で支えることによって行う。具体的には、初めに操作ボタン８３を押圧して係合爪８１の係止部８２への係合状態を解除し、回動アーム４を回動可能な状態とする。そして、図７で示すように、回動アーム４を所望の角度だけ回動させてテーブル上に載置する。その結果、ポータブル型電子機器１は所望の角度の傾きをもってテーブル上に設置される。ポータブル型電子機器１は、回動アーム４により筐体２の中央部分から支持されているため安定した状態で設置される。
【００２６】
この設置状態においては、回動アーム４の先端のゴム製のリング９２がテーブル面に当接するのでこのリング９２が滑り止めの作用を奏し、テーブル上を滑ることなく安定して設置される。
【００２７】
一方、ポータブル型電子機器１を車内のダッシュボード上に設置する場合は、初めに回動アーム４をロック機構８によって筐体２にロックする。その後、連結溝６に固定部材７を取付ける。そして、連結溝６に固定された固定部材７はダッシュボード上に載置固定された機器取付けスタンド１０に取付けられる。その結果、ポータブル型電子機器１はダッシュボード上に設置される。
【００２８】
このダッシュボード上に設置されたポータブル型電子機器１の傾き及び向きは機器取付けスタンド１０の回動位置を調整することによって変更することが可能である。なお、この傾き及び向きの変更はポータブル型電子機器１が背面中央部で筐体２背面に固定された回動アーム４を介して機器取付けスタンド１０に連結されているので、円滑に調整することができる。さらに、ポータブル型電子機器１と機器取付けスタンド１０との連結部分は回動アーム４を利用しているので、筐体２に特別に用意する必要がない。
【００２９】
また、筐体２のダッシュボード面からの高さは固定部材７を連結溝６の所望の位置に固定することによって自由に設定できる。
【００３０】
さらに、筐体２の取付け高さ、ダッシュボードの傾き等により、回動アーム４の先端がダッシュボードに当接した場合、ダッシュボードに発生する振動が当接部９に伝わる。しかし、この振動は当接部９の弾性材からなるリング９２によって吸収されて回動アーム４に伝わることが遮断される。そのため、振動によって発生する画像の乱れや故障、性能の劣化等の障害発生が防止されている。
【００３１】
従って、上述した一実施例のポータブル型電子機器１によれば、その使用状況、すなわち回動アーム４を用いて表示画面が見やすいように傾けて設置させることと、回動アーム４に機器取付けスタンド１０を取付けて筐体２を表示画面が見やすいように傾けて設置させることを自由に選択して、状況に応じた好ましい設置を実現できる。そのため、例えば、テーブル、棚等のように平らな面であると共に、外部から衝撃を受けない安定した箇所に設置する場合は、回動アーム４を用いればよい。一方、ダッシュボードのように傾きや、衝撃を受ける不安定な箇所に設置する場合は、機器取付けスタンド１０を用いればよい。
【００３２】
また、テーブル上にポータブル型電子機器１を設置する場合は、回動アーム４の角度を調整するだけの簡単な操作でよい。また、回動アーム４の当接部９はテーブルとの間で滑りを生じないので安定した状態で設置できる。
【００３３】
さらに、当接部９は回動アーム４の先端に突出して設けた円柱９１と、この円柱９１に装着したリング９２とからなるので、構成が簡単でその組み立ても容易である。
【００３４】
回動アーム４は、使用しない場合にはロック機構８によって筐体２に回動不能な状態に保持させておくことができる。また、回動アーム４は機器取付けスタンド１０を用いた場合にも同様にロック状態にしてガタつかないようにすることができる。勿論、この回動アーム４のロック状態を解除して機器取付けスタンド１０の回動範囲に加えて回動アーム４を更に回動させることにより、筐体２をより広範囲に傾けることができる。特に、自動車のような車両において、ポータブル型電子機器１の設置箇所が制限されることに加えて表示画面３を見る向きが予想以上に大きく傾ける必要が生じた場合には非常に好適である。
【図面の簡単な説明】
【００３５】
【図１】図１は本発明の一実施例に係るポータブル型電子機器の正面から見た斜視図である。
【図２】図２は本発明の一実施例に係るポータブル型電子機器の背面から見た斜視図である。
【図３】図３は図２においてポータブル型電子機器の連結部に固定部材を取付けた状態を示す斜視図である。
【図４】図４は図２においてポータブル型電子機器底面のロック機構の操作ボタンを示すためにポータブル型電子機器を傾けた状態の斜視図である。
【図５】図５は図２のＡ−Ａ線で切断した断面図である。
【図６】図６は本発明の一実施例に係るポータブル型電子機器に適用される機器取付けスタンドの一例を示す斜視図である。
【図７】図７は本発明の一実施例に係るポータブル型電子機器を回動アームによって設置した状態を示す側方から見た斜視図である。
【図８】図８は本発明の一実施例に係るポータブル型電子機器に図６で示す機器取付けスタンドを連結した状態を示す斜視図である。
【符号の説明】
【００３６】
１          ポータブル型電子機器
２          筐体
３          表示画面
４          回動アーム
５          支軸
６          連結溝
７          固定部材
８          ロック機構
９          当接部
１０        機器取付けスタンド
７１        取付けシャフト
７２        ネジ
８１        係合爪
８２        係止部
８３        操作ボタン
９１        円柱
９２        リング
１０１      ベースプレート
１０２      取付け部
１０３      スタンド本体
１０４      調整ツマミ
【図１】
2009073438.tif 000003
【図２】
2009073438.tif 000004
【図３】
2009073438.tif 000005
【図４】
2009073438.tif 000006
【図５】
2009073438.tif 000007
【図６】
2009073438.tif 000008
【図７】
2009073438.tif 000009
【図８】
2009073438.tif 000010